(57)【要約】【課題】筐体の外観意匠設計の自由度が高く、遠隔操作装置を取り出しやすい収納部を備えるプロジェクタを提供すること。【解決手段】光源から射出された光束を光学的に処理して画像情報に応じた光学像を形成し拡大投写する光学系、およびこの光学系の動作を制御する制御部を有する本体と、この本体を収納する筐体とを備え、筐体の外面に遠隔操作装置３５を収納する収納部が設けられるプロジェクタ１は、収納部として、筐体外面に形成された凹部とこれに嵌合する蓋部材３６とを備え、蓋部材３６は設置面の法線方向に延びる軸を中心として回動可能に設けられている。これにより、回動軸の方向の関係上、筐体の直線部分を最低限に抑えることができるので、筐体の外観意匠設計の自由度が高い。同時に、リモコン収納部が筐体側面に配置されるため、通常設置時／天吊時によらず、遠隔操作装置３５を取り出しやすい。【選択図】  図５
2004272091.tif 000002
【特許請求の範囲】
【請求項１】
光源から射出された光束を光学的に処理して画像情報に応じた光学像を形成し拡大投写する光学系、およびこの光学系の動作を制御する制御部を有する本体と、この本体を収納する筐体とを備え、前記筐体の外面に前記制御部の動作を遠隔操作する遠隔操作装置を収納する収納部が設けられるプロジェクタであって、
前記収納部は、前記筐体外面に形成された筐体凹部、およびこの筐体凹部を塞ぐ蓋部材を備え、
前記蓋部材は、前記筐体の設置面の法線方向に延びる軸を中心として前記筐体の外面に対して回動可能に設けられることを特徴とするプロジェクタ。
【請求項２】
請求項１に記載のプロジェクタにおいて、
前記蓋部材は、前記遠隔操作装置を保持するホルダを備え、
前記ホルダは、前記蓋部材の内面から突出し前記遠隔操作装置を支持する支持部と、この支持部先端から前記蓋部材の内面と対向するように延出し前記遠隔操作装置を前記蓋部材の内面との間に把持する把持部とを備えることを特徴とするプロジェクタ。
【請求項３】
請求項１または請求項２に記載のプロジェクタにおいて、
前記蓋部材および前記筐体凹部のいずれか一方には、前記軸に沿って突出する突起部が形成され、いずれか他方には、この突起部と係合する孔部が形成され、前記突起部の先端面は、前記蓋部材の閉塞時、前記筐体外側で最も突出寸法が大きく、内側に向かって次第に突出寸法が小さくなるテーパ面であることを特徴とするプロジェクタ。
【請求項４】
請求項３に記載のプロジェクタにおいて、
前記蓋部材は、回動基端側の一端を前記突起部近傍において前記軸と交差する方向に切り欠いた切欠を有することを特徴とするプロジェクタ。
【請求項５】
請求項１〜請求項４のいずれかに記載のプロジェクタにおいて、
前記筐体は、前記筐体の設置面を含む第１筐体部、前記筐体の設置面と対向する筐体上面を含む第２筐体部、投射方向後端側の背面筐体部を備え、
前記筐体凹部は、前記背面筐体部に形成されることを特徴とするプロジェクタ。
【発明の詳細な説明】
【０００１】
【発明の属する技術分野】
本発明は、光源から射出された光束を光学的に処理して画像情報に応じた光学像を形成し拡大投写する光学系、およびこの光学系の動作を制御する制御部を有する本体と、この本体を収納する筐体とを備えるプロジェクタに関する。
【０００２】
【背景技術】
従来、光源ランプから射出された光束をダイクロイックミラーで三色の色光に分離するダイクロイックミラーと、色光毎に画像情報に応じて変調する３枚の液晶パネルと、各液晶パネルで変調された光束を合成するクロスダイクロイックプリズムとを備える三板式のプロジェクタが知られている。
【０００３】
このようなプロジェクタを使用してプレゼンテーション等を行う場合には、プロジェクタ本体に設けられた操作パネルを直接操作することも可能であるが、一般的には、プロジェクタ本体から離れたスクリーン近傍に使用者が立って、遠隔操作装置（リモートコントローラ；リモコン）を用いて、プロジェクタの遠隔操作を行っている（例えば、特許文献１参照）。
また、近年のプロジェクタでは、小型化・軽量化が求められた結果、持ち運び可能なモバイルタイプが開発されている。
ここで、このようなモバイルタイプのプロジェクタを持ち運ぶ際、プロジェクタとリモートコントローラを同時に持ち運ぶのは、かさばって不便である。
【０００４】
【特許文献１】
特開平１１−２９５８１１号公報
【０００５】
【発明が解決しようとする課題】
このため、プロジェクタ本体を収納する筐体の外側等に、リモートコントローラを収納するための収納部を設けるような構成が考えられるが、この場合、筐体の上面、側面に収納部を設けることは、外観意匠設計を制限することとなるため好ましくない。
そこで、収納部をプロジェクタの下部や机・台等との設置面となる底面部分に設けて、筐体のデザインに与える影響を極力減らすことが考えられる。
しかしながら、このような底面部分に設けると、設置台に置いた際に収納部からリモートコントローラを取り出そうとすると取り出しにくいという問題がある。
【０００６】
本発明の目的は、筐体の外観意匠設計の自由度は高いままに、リモートコントローラを取り出しやすく取扱性に優れるリモコン収納部を備えるプロジェクタを提供することにある。
【０００７】
【課題を解決するための手段】
本発明のプロジェクタは、光源から射出された光束を光学的に処理して画像情報に応じた光学像を形成し拡大投写する光学系、およびこの光学系の動作を制御する制御部を有する本体と、この本体を収納する筐体とを備え、前記筐体の外面に前記制御部の動作を遠隔操作する遠隔操作装置を収納する収納部が設けられるプロジェクタであって、前記収納部は、前記筐体外面に形成された筐体凹部、およびこの筐体凹部を塞ぐ蓋部材を備え、前記蓋部材は、前記筐体の設置面の法線方向に延びる軸を中心として前記筐体の外面に対して回動可能に設けられることを特徴とする。
【０００８】
ここで、前述の遠隔操作装置とは、本体の制御部を遠隔操作するリモートコントローラ（リモコン）のことである。このリモートコントローラは、例えば、投写画像の設定変更や、出力される音量の調節、入力する画像情報の切替等の各操作について遠隔操作ができる。遠隔操作の方式としては、赤外線式、レーザー式等が採用できる。
【０００９】
この発明によれば、蓋部材の回動軸を筐体の設置面の法線方向に設けることにより、筐体の形状の直線部分を必要最小限に抑えることができるので、設計自由度が損なわれることが少ない。また、回動軸が筐体の設置面の法線方向とされることにより、収納部が自ずと設置面の端部から起立する筐体側面に形成されることとなる。したがって、筐体の下部や底面部分に収納部を設ける場合と比較して、プロジェクタの天吊時、通常設置時によらず、リモートコントローラを取り出し／収納しやすい。
【００１０】
本発明では、蓋部材は、遠隔操作装置を保持するホルダを備え、ホルダは、蓋部材の内面から突出し遠隔操作装置を支持する支持部と、この支持部先端から蓋部材の内面と対向するように延出し遠隔操作装置を蓋部材の内面との間に把持する把持部とを備えることが好ましい。
この発明によれば、支持部はリモートコントローラの自重を支持し、把持部は蓋部材の蓋面との間にリモートコントローラを把持することにより、蓋部材にリモートコントローラを保持させることができる。したがって、プロジェクタの通常設置時／天吊時によらず、蓋部材を回動する際にリモートコントローラが落下しにくく、取扱性に優れる。
【００１１】
本発明では、蓋部材および筐体凹部のいずれか一方には、軸に沿って突出する突起部が形成され、いずれか他方には、この突起部と係合する孔部が形成され、突起部の先端面は、蓋部材の閉塞時、筐体外側で最も突出寸法が大きく、内側に向かって次第に突出寸法が小さくなるテーパ面であることが好ましい。
この発明によれば、突起部の先端面が前述のようなテーパ面とされることにより、蓋部材の閉塞時に、突起部および孔部のかかり代が最も大きくなり、蓋部材の開放時は、かかり代がこれよりも小さくなる。
したがって、蓋部材の開放状態でさらに蓋部材に開動方向の外力が作用しても、短いかかり代部分で蓋部材が筐体から外れ、蓋部材および筐体凹部ともに割れ等が生じることもない。
【００１２】
本発明では、蓋部材は、回動基端側の一端を突起部近傍において軸と交差する方向に切り欠いた切欠を有することが好ましい。
この発明によれば、前述のように外力が作用して孔部の端部と突起部の基端ないし先端面が干渉すると、蓋部材は切欠部分で軸方向に変形して筐体凹部から容易に外れ、また、再度、容易に取り付けることができる。したがって、筐体と収納部の破損を効率良く防止することができ、取扱性および耐久性により優れる。
【００１３】
本発明では、筐体は、筐体の設置面を含む第１筐体部、筐体の設置面と対向する筐体上面を含む第２筐体部、投射方向後端側の背面筐体部を備え、筐体凹部は、背面筐体部に形成されることが好ましい。
この発明によれば、収納部を筐体の背面部分に設けることにより、通常コネクタ等が設けられる平面部分と収納部とを揃えて設けることができる。したがって、収納部を筐体外面に設けても、筐体の設計自由度をほとんど損なうことがなく、第１筐体部、および第２筐体部の外観意匠性が向上する。
また、収納部を背面筐体部に設けるため、第１筐体部や第２筐体部を取り外しても蓋部材が筐体から脱落することがなく、取扱性に優れる。
【００１４】
【発明の実施の形態】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１５】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００１６】
このうち、上面部１１Ａおよび前面部１１Ｂは、図１または図３に示すように、プロジェクタ１の上面から前面にかけて、凸曲面を有するように連続して形成されている。また、前面部１１Ｂの左右方向両端部、上面部１１Ａの左右方向両端部、および上面部１１Ａの後方側端部には、面取加工が施され、この加工部分１１１が上面部１１Ａおよび前面部１１Ｂを囲うように連続して形成されている。
【００１７】
この上面部１１Ａにおいて、後方側略中央部分には、図１または図３に示すように、プロジェクタ１の起動・調整操作を実施する操作パネル１４が左右方向に延びるように設けられている。この操作パネル１４は、押釦スイッチで構成され、複数の操作ボタン１４１を適宜押下することにより、操作パネル１４内部に配置される図示しない回路基板に実装されたタクトスイッチと接触し、所望の操作が可能となる。また、この操作パネル１４は、操作ボタン１４１を囲うように化粧板１４２が設けられている。この化粧板１４２は、導光板としての機能を有し、プロジェクタ１の駆動時には、各操作ボタン１４１に応じた位置に、操作名称が発光するように構成されている。
なお、前述した操作パネル１４の回路基板は、後述する制御基板と電気的に接続され、操作ボタン１４１の押下に伴う操作信号は、制御基板に出力される。
また、この上面部１１Ａにおいて、前方側略中央部分には、複数の孔１５が形成され、この内側に配置される図示しないスピーカから該孔１５を介して音声が出力される。
さらに、この上面部１１Ａにおいて、前方から見て右側部分には、図１に示すように、前述した投写レンズ３のレバー３Ａを露出させ、該レバー３Ａの操作を可能にする切り欠き１６が形成されている。
【００１８】
また、この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
さらにまた、この前面部１１Ｂにおいて、前方から見て上方側略中央部分には、図１に示すように、リモコン受光窓１９が形成されている。そして、このリモコン受光窓１９の内側には、後述するリモートコントローラからの操作信号を受信する図示しないリモコン受光モジュールが配置されている。
なお、図示しないリモコン受光モジュールは、後述する制御基板と電気的に接続され、該リモコン受光モジュールにて受信した操作信号は、制御基板に出力される。また、図示は省略するが、これらリモコン受光窓およびリモコン受光モジュールは、プロジェクタ１の背面側にも設けられている。そして、プロジェクタ１の前方および後方の双方からリモートコントローラを用いてプロジェクタ１の遠隔操作を実施できるように構成されている。
【００１９】
側面部１１Ｃ，１１Ｄは、図１ないし図３に示すように、前述した上面部１１Ａおよび前面部１１Ｂの形状に対応して、前方に向かうにしたがって下方に曲折し、後方に向かうにしたがって背面側に曲折する形状を有している。
これら側面部１１Ｃ，１１Ｄにおいて、後方側端部には、投写レンズ３の投写方向と逆方向に突出し、上下方向に延びる突起２０が形成されている。
【００２０】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
このうち、底面部１２Ａは、図２に示すように、略平板状の底面部分から斜め上方に向けて突出する突出部１２Ａ１が形成されている。この突出部１２Ａ１は、アッパーケース１１とロアーケース１２とが接続された状態で、アッパーケース１１の加工部分１１１と連続するように形成されている。そして、この底面部１２Ａは、プロジェクタ１の底面を構成するとともに、アッパーケース１１の前面部１１Ｂと接続してプロジェクタ１の前面を構成する。
【００２１】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２２】
さらに、この底面部１２Ａにおいて、下方から見て後方側略中央部分には、プロジェクタ１の脚部を構成する固定脚部２４が設けられている。また、底面部１２Ａにおける前方側の左右角隅部分には、同じくプロジェクタ１の脚部を構成する調整脚部２５が設けられている。
このうち、調整脚部２５は、底面部１２Ａから面外方向に進退自在に突出する軸状部材から構成され、プロジェクタ１の投写時における該プロジェクタ１の前後方向および左右方向の傾斜位置を調整可能としている。
また、この底面部１２Ａにおいて、固定脚部２４の左右両側には、プロジェクタ１内外に空気を流通可能とする空気流通孔２６，２７が形成されている。この空気流通孔２６，２７を介して流通する空気により、該空気流通孔２６，２７に対応して配置されるプロジェクタ１内部の構成部材に発生する熱を放熱させている。
【００２３】
さらにまた、この底面部１２Ａにおいて、前方側略中央部分には、投写方向に延びる２つの膨出部２８が形成されている。この膨出部２８は、中空状に形成され、その内側には、突出部１２Ａ１に形成された２つの孔１２Ａ２を介して、プロジェクタ１を運搬する際に利用されるハンドル２９が設置されている。そして、ハンドル２９は、平面視コ字状のハンドル本体２９１を含んで構成され、このハンドル本体２９１は、底面部１２Ａの裏面側に固定される図示しない本体設置部材により投写方向に進退可能に取り付けられている。また、このハンドル本体２９１のコ字状先端部分は、該ハンドル本体２９１が投写方向に突出した際に、図示しない本体設置部材により底面部１２Ａの面外方向に所定角度、回動可能に軸支される。すなわち、ハンドル本体２９１を把持してプロジェクタ１を吊り下げ状態とした場合には、プロジェクタ１の重心位置がハンドル本体２９１のコ字状端縁にて形成される平面内に位置する。
【００２４】
側面部１２Ｂ，１２Ｃは、図１ないし図３に示すように、前方側が上方から下方に向けて曲折する形状を有し、投写方向略中央部分が上方に向かうにしたがって外側に拡がる凹曲面状に形成され、後方端部が背面側に曲折するように形成されている。そして、これら側面部１２Ｂ，１２Ｃは、アッパーケース１１の側面部１１Ｃ，１１Ｄと接続してプロジェクタ１の側面を構成する。
これら側面部１２Ｂ，１２Ｃにおいて、前方側には、図２または図３に示すように、底面部１２Ａに設けられた調整脚部２５に対応して調整ボタン３０が設けられている。そして、この調整ボタン３０を押下することにより、調整脚部２５が進退駆動し、プロジェクタ１の前後方向および左右方向の傾斜位置が調整される。なお、図２または図３では、側面部１２Ｃに設けられた調整ボタン３０のみが示されているが、側面部１２Ｂも同様に調整ボタン３０が設けられている。
【００２５】
また、これら側面部１２Ｂ，１２Ｃにおいて、後方側端部には、図３に示すように、投写レンズ３の投写方向と逆方向に突出し、上下方向に延びる突起３１が形成されている。そして、この突起３１は、前述したアッパーケース１１の側面部１１Ｃ，１１Ｄに形成された突起２０と接続し、これら突起２０，３１は、プロジェクタ１を縦置きする際の脚部として機能する。
背面部１２Ｄは、後方側に凸となる凸曲面を有するように形成されている。
この背面部１２Ｄにおいて、後方から見て右側には、図３に示すように、矩形状の開口３２が形成され、この開口３２を介してインレットコネクタ３３が露出する。また、この背面部１２Ｄの内側には、図示は省略するが、リアケース１３の下端を支持する支持部、およびリアケース１３を上方から嵌め込むための溝部が形成されている。
【００２６】
図４は、リアケース１３を上方から見た平面図である。
リアケース１３は、図３に示すように、ロアーケース１２の背面部１２Ｄの内側に形成された図示しない溝部に嵌め込み式で固定され、アッパーケース１１とロアーケース１２とが接続された状態で背面に形成される開口部分を塞ぐ。このリアケース１３は、図３または図４に示すように、略矩形状の板体１３１と、この板体１３１の下端縁から該板体１３１に略直交して突出する突出部１３２と、同様に板体１３１の上端縁から突出する突出部１３３（図４）と、板体１３１の左右方向略中央部分から略直交して突出し、リアケース１３を２つの領域に区画する隔壁１３４とを備える。
このうち、突出部１３２，１３３の先端は、図４に示すように、後方側に凸となるように形成されている。そして、アッパーケース１１、ロアーケース１２、およびリアケース１３を組み立てた状態では、突出部１３２の先端は、ロアーケース１２の背面部１２Ｄの上端と接続し、突出部１３３の先端は、アッパーケース１１の上面部１１Ａの後方側端部と接続する。すなわち、リアケース１３の板体１３１は、プロジェクタ１の背面から内側に離隔配置されている。
以上、説明したアッパーケース１１、ロアーケース１２、およびリアケース１３の形状により、これらが組み立てられた外装ケース２は、上面、前面、側面、底面、および背面の角部分が適宜、省略され、略流線形状を有するように構成されている。
【００２７】
このリアケース１３において、隔壁１３４により区画された領域のうち、後方から見て左側に位置する領域の板体１３１には、図３に示すように、複数の孔１３１Ａが形成され、この複数の孔１３１Ａを介して、外部の電子機器からの画像信号、音声信号等を入力するための複数の接続端子３４が外部に露出している。この領域に位置する板体１３１の内側には、接続端子３４から入力される信号を処理する図示しないインターフェース基板が配置されている。
なお、このインターフェース基板は、後述する制御基板と電気的に接続され、インターフェース基板にて処理された信号は、制御基板に出力される。
【００２８】
図５は、リアケース１３におけるリモートコントローラ３５の設置位置を示す図である。
リアケース１３において、隔壁１３４により区画された領域のうち、後方から見て右側に位置する領域には、図３ないし図５に示すように、リモートコントローラ３５（図５）を保持するリモコン保持部３６が設けられている。
リモートコントローラ３５は、プロジェクタ１における電源のオンオフや、画像の再生および停止、音量の調節等を実施する図示しない複数の操作ボタンを有する。そして、このリモートコントローラ３５は、前述のリモコン受光窓１９を介して内部のリモコン受光モジュールに、離間位置から操作信号を送信して、プロジェクタ１の遠隔操作を実施する。
リモコン保持部３６は、図５に示すように、リアケース１３における区画された右側の領域に嵌合し、一方の端面に開口部３６１を有する箱状部材であり、透明または半透明な材料から構成され、内部が視認可能となっている。そして、このリモコン保持部３６は、図４に示すように、開口部３６１と対向する側の端部が、突出部１３２，１３３の後方から見て右側隅部分にて軸支され、プロジェクタ１の上面部１１Ａまたは底面部１２Ａと略直交する軸を中心として回動可能に構成されている。
【００２９】
（２）内部構成
図６、図７は、プロジェクタ１の内部構造を示す図である。具体的には、図６は、プロジェクタ１のアッパーケース１１を外した図であり、図７は、図６の状態から制御基板等をさらに外した図である。
外装ケース２の内部には、図６または図７に示すように、プロジェクタ１の本体部分が収納されており、この本体部分は、投写方向略中央部分で左右方向に延び、一方の端部が前方に延びる平面視略Ｌ字状の光学ユニット４（図７）と、この光学ユニット４の上方で投写レンズ３側に配置される制御基板５（図６）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７（図７）とを備える。
【００３０】
（２−１）光学ユニット４の構造
図８は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図７または図８に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図７）とに機能的に大別される。
インテグレータ照明光学系４１は、光源から射出された光束を照明光軸直交面内における照度を均一にするための光学系である。このインテグレータ照明光学系４１は、図８に示すように、光源装置４１１、第１レンズアレイ４１２、第２レンズアレイ４１３、偏光変換素子４１４、および重畳レンズ４１５を備えて構成される。
【００３１】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３２】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３３】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３４】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３５】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３６】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３７】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３８】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００３９】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４０】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４１】
（２−２）制御基板５の構造
制御基板５は、図６に示すように、ライトガイド４５の上ライトガイド４５２の上方に配置される。この制御基板５は、ＣＰＵ（Ｃｏｎｔｒｏｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル１４の回路基板、および前述の図示しないリモコン受光モジュールから出力される操作信号を入力し、この操作信号に基づいてプロジェクタ１の構成部材に適宜、制御指令を出力する。
また、この制御基板５の上方には、図６に示すように、アルミニウムから構成される板状の第１シールド板５１が取り付けられている。そして、この第１シールド板５１は、制御基板５に実装される回路素子から放射される電磁波を遮蔽するとともに、外部からの電磁波も遮蔽し、雑音障害を回避している。なお、第１シールド板５１としては、アルミニウムに限らず、その他の金属で構成してもよく、また、合成樹脂等で構成し、その表面にめっき処理、または、金属蒸着処理、金属箔の貼り付け等を施したものを採用してもよい。
【００４２】
（３）リモコン保持部３６の構造
図９は、蓋部材としてのリモコン保持部３６を内面側の上方から見た斜視図である。
リモコン保持部３６は、断面略Ｃ字状の箱状部材として構成され、合成樹脂製等の透明または半透明な部材からなる。リモコン保持部３６は、蓋面部３６２および一対の側面部３６３，３６４を備え、回動基端側の端面は軸側側面部３６５で閉塞される。リモコン保持部３６の回動先端側には、一対の側面部３６３，３６４間に板状部材３６６が架設されて略矩形状の開口部３６１が形成され、この開口部３６１からリモートコントローラ３５が挿入される（図５）。
蓋面部３６２は、収納されるリモートコントローラ３５を覆う被覆部材として機能し、外側に膨出する曲面形状を有する板状体である。この蓋面部３６２の開口部３６１側の端縁略中央には、弧状に凹む手掛け部３６２Ａが形成され、この手掛け部３６２Ａと隔壁１３４に形成されている凹みとから、リモコン保持部３６を閉塞した際、連続的に一の開口が構成される（図３符号省略）。また、蓋面部３６２の内面かつ上下端部近傍には、リモートコントローラ３５の挿入方向に沿って延びる一対のリブ３６２Ｂが形成されている。このリブ３６２Ｂは、蓋面部３６２の面外方向から作用する力に対する補強部材として機能する他、リモートコントローラ３５の収納時、リモートコントローラ３５を支持するホルダの支持部としても機能する。
【００４３】
側面部３６３は、このような蓋面部３６２の上端縁内側から面外方向に突出して、対となる側面部３６４と互いに対向し、回動基端から先端に向かって突出量が増大、すなわち次第に幅広くなっている。この側面部３６３の回動基端部分には、側面部３６４との接近方向に段落ちした段差部３６３Ａが形成されている。この段差部３６３Ａは、回動基端側が短辺となる平面視略台形状に形成され、段差部３６３Ａの略中央には、回動軸上で面外方向に突出する略円柱状の突起３６３Ｂが形成されている。
また、側面部３６３外面の回動先端側において、延出方向に長円状の溝穴３６３Ｄが形成され、この溝穴３６３Ｄは、リモコン保持部３６を閉塞した際、筐体側の凹部に形成されている突起と係合して閉塞状態を維持する。
そして、側面部３６３の側面部３６４との対向面には、リモートコントローラ３５の挿入方向に向かって延びる一対のリブ３６３Ｅが形成されている。このリブ３６３Ｅは、リモートコントローラ３５の挿入時にリモートコントローラ３５を奥まで案内するレールとして機能する。
なお、側面部３６４についても、側面部３６３と同様に、段差部３６４Ａ、リブ３６４Ｅ、および、後述する突起、溝穴が形成されている。
【００４４】
軸側側面部３６５は、蓋面部３６２の回動基端縁内側から面外方向に段差部３６３Ａ，３６４Ａの台形状の外形に沿って突出し、断面略Ｃ字状に段差部３６３Ａ，３６４Ａ間で延びるチャンネル部材から構成されている。この軸側側面部３６５と側面部３６３，３６４との間は連結されずに空間となっており、この空間は一対の切欠部３６５Ａとされている。この切欠部３６５Ａは、その中間部分で円柱状の突起３６３Ｂ，これと対の突起間を結ぶ回動軸を横切り、この軸に略直交する方向に形成されるので、段差部３６３Ａ，３６４Ａは、切欠内側にたわんで、リモコン保持部３６において軸方向の弾性部材として機能する。軸側側面部３６５の内面には、開口部３６１に向かって突出する断面略Ｕ字状のリブ３６５Ｂが形成される。このリブ３６５Ｂは、リモートコントローラ３５を挿入する際にリモートコントローラ３５の先端が当接する部分であるとともに、回動の際の外力に対する軸側側面部３６５の補強部材として機能する。
板状部材３６６は、側面部３６３，３６４の突出方向先端側の端縁から基端側にオフセットして架設され、開口部３６１側の端部が開口部３６１の稜線まで延出するように形成されている。
また、板状部材３６６は、リブ３６２Ｂで支持されるリモートコントローラ３５を蓋面部３６２との間に把持するホルダの把持部として機能する。
【００４５】
図１０は、リモコン保持部３６を閉塞している状態のリアケース１３を上方から見た平面図である。これに対応して、図１１は、リモコン保持部３６を最大に開放した状態を示している。また、図１０，図１２，図１３，図１４は、リモコン保持部３６を閉塞している状態のリモコン保持部３６ないしリアケース１３を示しているのに対し、図１１，図１５は、リモコン保持部３６を開放している状態のリモコン保持部３６ないしリアケース１３を示している。
前述したように、リアケース１３には、板体１３１、突出部１３２，１３３、および隔壁１３４により区画された領域が形成されており、これらの領域のうち、後方から見て右側の領域に凹部１３５が形成されている（図１１）。
そして、リアケース１３の後方から見て、凹部１３５を構成する突出部１３３の右隅近傍には、孔１３５Ａが形成されている。また、突出部１３３の中央寄り奥側には、凹部１３５の内側に隆起する突起１３５Ｂが形成されている。なお、図１０のＸＩＩ線断面図である図１２に示すように、突出部１３２についても、突出部１３３に形成される孔１３５Ａ，突起１３５Ｂとそれぞれ対になるように、孔１３５Ｃ，突起１３５Ｄが形成されている。
【００４６】
図１１に示すように、前述したリモコン保持部３６は、凹部１３５の右隅に軸支されて回動可能に取り付けられ、凹部１３５に嵌合してこれを閉塞しているときは、蓋面部３６２の曲面が、凹部１３５の外面を構成する突出部１３２，１３３、および隔壁１３４と連続的な凸曲面を描くように形成されている（図１０）。リモコン保持部３６と凹部１３５の軸支関係は、リモコン保持部３６の突起３６３Ｂと凹部１３５の孔１３５Ａの係合、および、突起３６４Ｂと孔１３５Ｃの係合による（図１１，図１２）。図１２の回動基端部分を拡大したものが図１３である。
そして、図１０のＸＩＶ線断面図である図１４に示すように、突起３６３Ｂの先端面３６３Ｃはテーパ面状に形成される。この先端面３６３Ｃは、リモコン保持部３６の閉塞時、リアケース１３の外側で最も突出寸法が大きく、内側に向かって次第に突出寸法が小さくなるように形成される。また、孔１３５Ａの縁部は、リアケース１３の外面側が若干低く形成されるため、孔１３５Ａの縁部と突起３６３Ｂの基端との間隔は、リアケース１３の内面側よりも外面側が広くなる。なお、突起３６４Ｂの先端面３６４Ｃの形状、および、孔１３５Ｃの縁部形状についても、先端面３６３Ｃ、孔１３５Ａと同様に形成されている。
【００４７】
前述のような本実施形態にかかるプロジェクタ１では、次のように作用する。図３は、プロジェクタ１を後方背面側から見た斜視図である。リモコン保持部３６は閉塞しており、図１２に示すように、カードタイプのリモートコントローラ３５が凹部１３５内に格納されている。図３において手掛け部３６２Ａ（符号省略）を起こすようにリモコン保持部３６を回動して開放した状態を示したものが図５であり、開口部３６１からリモートコントローラ３５を取り出し、リモートコントローラ３５の各種ボタン等の操作により、投射画像の再生／停止、音量調整等、プロジェクタ１の遠隔操作を行う。そして、プロジェクタ１を片付ける際には、リモートコントローラ３５を開口部３６１から挿入し、リモコン保持部３６を再び閉塞する。このとき、溝穴３６３Ｄと突起１３５Ｂが係合し（図１０）、かつ、溝穴３６４Ｄと突起１３５Ｄが係合して（図示省略）、リモコン保持部３６の閉塞状態が維持される。このようにして、リモートコントローラ３５をプロジェクタ１の筐体外側に収納し、プロジェクタ１とともに持ち運ぶことができる。プロジェクタ１の使用態様は、天吊時においても同様である。
【００４８】
また、図１１に示すように、リモコン保持部３６を最大に開放すると、軸側側面部３６５の端部がリアケース１３に当接する。図１１のＸＶ線断面図である図１５に示すように、リモコン保持部３６を最大に開放した状態では、孔１３５Ａと突起３６３Ｂ、および、孔１３５Ｃと突起３６４Ｂにおける各かかり代が小さくなっている。
ここで、リモコン保持部３６をさらに開放する方向に外力を加えると、孔１３５Ａの縁部と突起３６３Ｂの基端近傍、および、孔１３５Ｃの縁部と突起３６４Ｂの基端近傍が干渉し、段差部３６３Ａ，３６４Ａはともに切欠部３６５Ａ側にたわむ。この段差部３６３Ａ，３６４Ａのたわみにより、突起３６３Ｂ，３６４Ｂは、わずかとなったかかり代から孔１３５Ａ，１３５Ｃのともに低い方の縁部を乗り越え、係合が解除される。このように、リモコン保持部３６は凹部１３５から容易に外れ、切欠部３６５Ａを圧縮するように上下端から付勢すれば、再度、凹部１３５に取り付けることができる。この取り付けの際は、図１１に示すように、軸側側面部３６５を孔１３５Ａ，１３５Ｃ方向に向けるとよい。これにより、先端面３６３Ｃ，３６４Ｃの突出寸法の小さい端部が、孔１３５Ａ，１３５Ｃのともに低い方の縁部に近接するので、突起３６３Ｂと孔１３５Ａ，突起３６４Ｂと孔１３５Ｃをそれぞれ容易に係合させることができる（図１５）。
【００４９】
（４）実施形態の効果
本実施形態によれば、以下のような効果がある。
（４−１）リモコン保持部３６の回動軸をプロジェクタ１の設置面の法線方向に設定することにより、回動軸を設置面と平行方向に設定する場合と比べ、外装ケース２において、回動軸に必要な直線の長さを最小限に抑えることができる。したがって、外装ケース２の略流線形状を実現することができ、外装ケース２の外観意匠設計の自由度が高い。
また、このように回動軸を設置面の法線方向に設定することにより、自ずとリモコン保持部３６は設置面から起立する筐体側面に形成される。このため、プロジェクタ１の通常設置時／天吊時においてリモコン保持部３６は手近な位置に露出するので、リモートコントローラ３５を取り出しやすい。
【００５０】
（４−２）リモコン保持部３６が一対のリブ３６２Ｂ、板状部材３６６を備えることにより、リモートコントローラ３５は、リブ３６２Ｂで支持され、板状部材３６６で蓋面部３６２との間に把持される。したがって、リモートコントローラ３５はリモコン保持部３６の回動に付随するので、リモートコントローラ３５が落下せず、所望の角度からリモートコントローラ３５を取り出し／収納することができる。
また、前述のように回動軸を設置面の法線方向に設定し、かつ、リモコン保持部３６の開口部３６１も同方向に沿って開口するように形成することにより、プロジェクタ１を天吊状態として使用する場合も同様の効果を奏する。回動軸と開口部とを設置面と平行方向に設定する構成では天吊時にリモートコントローラ３５が落下することと比べ、本実施形態の構成は取扱性に優れる。
そして、リモートコントローラ３５を開口部３６１から挿入し、リブ３６３Ｅ，３６４Ｅに沿って軸側のリブ３６５Ｂの対象面に当接するまでスライドできるので、リモートコントローラ３５を収納しやすい。プロジェクタ１を持ち運ぶ際のリモートコントローラ３５のがたつきも防止できる。
【００５１】
（４−３）突起３６３Ｂ，３６４Ｂ近傍には切欠部３６５Ａが形成されている。さらに、先端面３６３Ｃ，３６４Ｃは前述のようなテーパ面状に、孔１３５Ａ，１３５Ｃの縁部の高さは前述のように非対称に形成されている。このような構成で、リモコン保持部３６を最大範囲を超えて開放しようとすれば、前述したように、切欠部３６５Ａ部分で段差部３６３Ａ，３６４Ａはたわみ、突起３６３Ｂ，３６４Ｂの基端ないし先端面３６３Ｃ，３６４Ｃと孔１３５Ａ，１３５Ｃの縁部がそれぞれ干渉してリモコン保持部３６が凹部１３５から容易に外れ、再度、凹部１３５に取り付けることができる。
したがって、凹部１３５およびリモコン保持部３６の破損を防止できる。
なお、回動時、筐体に対するリモコン保持部３６の突出寸法が本実施形態のように大きい場合には、凹部１３５およびリモコン保持部３６の破損が懸念されることが多いが、このような作用効果により、破損は生じない。
【００５２】
（４−４）リモコン保持部３６をリアケース１３に形成することにより、アッパーケース１１、およびロアーケース１２のデザインがリモコン保持部３６の設計により制約を受けないので、アッパーケース１１、およびロアーケース１２の外観意匠性が向上する。リアケース１３の板体１３１は、コネクタ等が接続され、縦置き時の設置面側ともなるため、平面状に構成される。このため、リアケース１３に回動軸を設定しやすい。そして、接続されるコネクタ等が突出する分、リアケース１３の突出部１３２，１３３は外面側に張り出している。ここで、リアケース１３を隔壁１３４で区画し、コネクタ等の差込み口が設けられる領域の隣に凹部１３５を形成すれば、突出部１３２，１３３の張り出し部分の厚みにリモコン保持部３６を納めることができ、縦置き用の突起２０，２１の間にも適合する。また、回動軸をリアケース１３の後方から見て右隅近傍に設定し、手掛け部３６２Ａをリアケース１３の略中央に形成しているので、リモートコントローラ３５をより取り出しやすい。
さらに、アッパーケース１１またはロアーケース１２を取り外しても、リモートコントローラ３５はリアケース１３の外面に保持されているため脱落しない。そして、プロジェクタ１の投射中にリモートコントローラ３５を取り出し／収納する際に、操作者の影や手指の影が投射画像にかかることもない。
【００５３】
（５）実施形態の変形
なお、本発明は前述の実施形態に限定されるものではなく、本発明の目的を達成できる範囲での変形、改良等は本発明に含まれるものである。
例えば、前記実施形態では、リモコン保持部３６を一体的な箱状に形成し、リアケース１３の略中央に形成する凹部１３５にリモコン保持部３６が嵌合されるが、リモコン保持部３６の位置・形状、および対応する凹部１３５の形状等は、これに限定されない。例えば、蓋面部３６２の内面にクリップ状部材を取り付け、このクリップによりリモートコントローラ３５を保持する構成としてもよい。または、凹部１３５に爪等を形成し、この爪等によりリモートコントローラ３５を保持する構成としてもよい。さらに、リモコン保持部３６の閉塞状態でリモコン保持部３６が外装ケース２の外面から突出する設計としてもよい。またさらに、リモコン保持部３６を断面略Ｕ字状に形成し、その開口内部にリモートコントローラ３５を支持する構成としても構わない。ただし、この場合は、プロジェクタ１の天吊時、リモートコントローラ３５の脱落を防止するため、リモコン保持部３６にホルダを形成する方がよい。
ホルダの構成も、前記実施形態の位置・形状等に限られない。例えば、蓋面部３６２のリブ３６２Ｂの形成を省略すれば、側面部３６３または側面部３６４はホルダの支持部として機能する。板状部材３６６は、側面部３６３，３６４の中間部位に架設してもよく、または、回動基端から回動先端までを被覆するものでも構わない。リモコン保持部３６、凹部１３５等は、プロジェクタ１の小型化・軽量化を考慮の上、適宜設計すればよい。
【００５４】
前記実施形態では、凹部１３５に孔１３５Ａ，１３５Ｃを形成し、リモコン保持部３６に突起３６３Ｂ，３６４Ｂを形成するが、これとは逆に、リモコン保持部３６に孔を形成し、凹部１３５に突起を形成する構成としてもよい。
また、前記実施形態では、前述のように、先端面３６３Ｃ，３６４Ｃをテーパ面状とし、孔１３５Ａ，１３５Ｃの縁部を非対称に形成するが、これら突起３６３Ｂ，３６４Ｂおよび孔１３５Ａ，１３５Ｃの形状等は任意である。例えば、先端面３６３Ｃ，３６４Ｃの形状を、リモコン保持部３６の閉塞時、外面側から内面側へ、かつ、回動先端側から回動基端側へ向かって次第に突出寸法が小さくなる片斜面としてもよい。また一方で、孔１３５Ａ，１３５Ｃの奥部をテーパ面とし、先端面３６３Ｃ，３６４Ｃを水平面としても構わない。
切欠部３６５Ａの位置・形状等も任意である。切欠部３６５Ａは形成しなくてもよく、リモコン保持部３６は凹部１３５から外れなくても構わない。
【００５５】
前記実施形態では、リモコン保持部３６を透明または半透明な部材としたが、不透明であってもよい。この場合は、例えば、蓋面部３６２の一部を切り欠いて窓部を設けることにより、内部に格納されるリモートコントローラ３５を外部から視認可能である。また、リアケース１３等にランプを設け、リモートコントローラ３５が収納されているか否かをランプの点灯により示すものとしてもよい。
【００５６】
前記各実施形態では、３つの光変調装置を用いたプロジェクタを採用したが、これに限らず、例えば、１つの光変調装置のみを用いたプロジェクタ、２つの光変調装置を用いたプロジェクタ、または４つ以上の光変調装置を用いたプロジェクタとしてもよい。また、光変調装置として液晶パネルを採用したが、これに限らず、マイクロミラーを用いたデバイス等の液晶以外の光変調装置を採用してもよい。さらに、透過型の光変調装置ではなく、反射型の光変調装置を用いてもよい。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるリアケースを上方から見た平面図。
【図５】前記実施形態におけるリアケースにおけるリモートコントローラの設置位置を示す図。
【図６】前記実施形態におけるプロジェクタの内部構造を示す図。
【図７】前記実施形態におけるプロジェクタの内部構造を示す図。
【図８】前記実施形態における光学ユニットの光学系を模式的に示す図。
【図９】前記実施形態におけるリモコン保持部を上方内面側から見た斜視図。
【図１０】前記実施形態におけるリアケースを上方から見た平面図。
【図１１】前記実施形態におけるリアケースを上方から見た平面図。
【図１２】前記実施形態におけるリアケースの内部構造を示す断面平面図。
【図１３】前記実施形態におけるリモコン保持部の回動基端を示す部分拡大図。
【図１４】前記実施形態におけるリアケースを右側面側から見た断面平面図。
【図１５】前記実施形態におけるリモコン保持部を開放した状態を示す断面平面図。
【符号の説明】
１…プロジェクタ、２…外装ケース（筐体）、４…光学ユニット（光学系）、５…制御基板（制御部）、１１…アッパーケース（第２筐体部）、１２…ロアーケース（第１筐体部）、１３…リアケース（背面筐体部）、３６…リモコン保持部（蓋部材）、１３５…凹部（筐体凹部）、１３５Ａ，１３５Ｃ…孔（孔部）、３６２Ｂ…リブ（支持部）、３６３Ｂ，３６４Ｂ…突起（突起部）、３６３Ｃ，３６４Ｃ…先端面、３６５Ａ…切欠部（切欠）、３６６…板状部材（把持部）
【図１】
2004272091.tif 000003
【図２】
2004272091.tif 000004
【図３】
2004272091.tif 000005
【図４】
2004272091.tif 000006
【図５】
2004272091.tif 000007
【図６】
2004272091.tif 000008
【図７】
2004272091.tif 000009
【図８】
2004272091.tif 000010
【図９】
2004272091.tif 000011
【図１０】
2004272091.tif 000012
【図１１】
2004272091.tif 000013
【図１２】
2004272091.tif 000014
【図１３】
2004272091.tif 000015
【図１４】
2004272091.tif 000016
【図１５】
2004272091.tif 000017